(57)【要約】好適な実施形態の一例は、第１のネットワークノードによって、多重接続動作のための改良型サービスを利用するように構成されたユーザ機器とのデータパケット通信のためのスケジューリングポリシーを決定することと、前記決定に基づいて、前記多重接続動作に関連付けられた第２のネットワークノードのためのスケジューリングポリシーを差別化することとを含む。実施形態によっては、第２のネットワークノードによって、第１のネットワークノードから、多重接続動作のための改良型サービスを利用するように構成されたユーザ機器とのデータパケット通信の重複データパケットをスケジューリングするための差別化されたスケジューリングポリシーを含む情報を受信することと、前記スケジューリングポリシーに基づいて、前記ユーザ機器への送信のための重複データパケットをスケジューリングするための優先度目標およびブロックエラー率目標の少なくとも一方を含む値を決定することと、前記決定された値に基づいて、前記ユーザ機器への送信のための重複パケットをスケジューリングすることを含む。【選択図】図２
2021516910.tif 000002
【特許請求の範囲】
【請求項１】
通信ネットワークの第１のネットワークノードによって、前記通信ネットワークにおける多重接続動作のための改良型サービスを利用するように構成されたユーザ機器とのデータパケット通信のためのスケジューリングポリシーを決定することと、
前記決定に基づいて、前記第１のネットワークノードによって、前記多重接続動作に関連付けられた第２のネットワークノードのためのスケジューリングポリシーを差別化することと、
を含む方法。
【請求項２】
前記改良型サービスは、高信頼低レイテンシ通信型のサービスを含む、請求項１に記載の方法。
【請求項３】
前記第１のネットワークノードによって、前記第２のネットワークノードに対して、前記第２のネットワークノードで受信される前記多重接続動作に関連付けられた重複データパケットをスケジューリングするための前記差別化されたスケジューリングポリシーを含む情報を送信することを含む、請求項１に記載の方法。
【請求項４】
前記決定は、前記通信ネットワークから前記第１のネットワークノードによって受信された情報に基づく、請求項１に記載の方法。
【請求項５】
前記受信された情報は、前記ユーザ機器の前記改良型サービスに関連付けられた、レイテンシバジェットＸミリ秒およびパケット損失耐性Ｐを含む値を示し、前記情報は、前記第２のネットワークノードが前記差別化スケジューリングに結び付けられた前記重複パケットのためのプライマリリンクまたはバックアップリンクの一方として機能すべきことを示す標示を含む、請求項４に記載の方法。
【請求項６】
前記差別化されたスケジューリングポリシーは、前記第２のネットワークノードにおける前記スケジューリングのための優先度目標およびブロックエラー率目標の少なくとも一方を含む、請求項１に記載の方法。
【請求項７】
前記情報は、前記第２のネットワークノードにおいて前記ユーザ機器に割り当てる最大帯域幅の標示を含む、請求項３に記載の方法。
【請求項８】
前記第１のネットワークノードによって、前記差別化されたスケジューリングポリシーの少なくとも一部の値に基づいて、前記第２のネットワークノードが前記重複パケットの少なくとも一部をスケジューリングするという、前記第２のネットワークノードからの標示を受信することを含む、請求項１から７のいずれかに記載の方法。
【請求項９】
少なくとも１つのプロセッサと、
コンピュータプログラムコードを含む少なくとも１つのメモリと、を備える装置であって、
前記少なくとも１つのメモリおよび前記コンピュータプログラムコードは、前記少なくとも１つのプロセッサによって、前記装置に少なくとも、
通信ネットワークの第１のネットワークノードによって、前記通信ネットワークにおける多重接続動作のための改良型サービスを利用するように構成されたユーザ機器とのデータパケット通信のためのスケジューリングポリシーを決定することと、
前記決定に基づいて、前記第１のネットワークノードによって、前記多重接続動作に関連付けられた第２のネットワークノードのためのスケジューリングポリシーを差別化することと、
を遂行させるように構成されている、装置。
【請求項１０】
前記改良型サービスは、高信頼低レイテンシ通信型のサービスを含む、請求項９に記載の装置。
【請求項１１】
前記コンピュータプログラムコードを含む前記少なくとも１つのメモリは、前記少なくとも１つのプロセッサによって、前記装置に、
前記第１のネットワークノードから、前記第２のネットワークノードに対して、前記第２のネットワークノードで受信される前記多重接続動作に関連付けられた重複データパケットをスケジューリングするための前記差別化されたスケジューリングポリシーを含む情報を送信することを遂行させるように構成されている、請求項９に記載の装置。
【請求項１２】
前記決定は、前記通信ネットワークから前記第１のネットワークノードによって受信された情報に基づく、請求項９に記載の装置。
【請求項１３】
前記受信された情報は、前記ユーザ機器の前記改良型サービスに関連付けられた、レイテンシバジェットＸミリ秒およびパケット損失耐性Ｐを含む値を示し、前記情報は、前記第２のネットワークノードが前記差別化スケジューリングに結び付けられた前記重複パケットのためのプライマリリンクまたはバックアップリンクの一方として機能すべきことを示す標示を含む、請求項１２に記載の装置。
【請求項１４】
前記差別化されたスケジューリングポリシーは、前記第２のネットワークノードにおける前記スケジューリングのための優先度目標およびブロックエラー率目標の少なくとも一方を含む、請求項９に記載の装置。
【請求項１５】
前記差別化されたスケジューリングポリシーの前記優先度目標は、前記重複パケットに対する、前記第１のネットワークノードの前記データパケット通信に関連付けられた優先度目標よりも低いまたは高い優先度の一方を含み、
前記差別化されたスケジューリングポリシーの前記ブロックエラー率目標は、前記重複パケットに対する、前記第１のネットワークノードに関連付けられたブロックエラー率目標よりも高いまたは低いブロックエラー率目標の一方を含む、
請求項１４に記載の装置。
【請求項１６】
前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低く、
前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一である、
請求項１５に記載の装置。
【請求項１７】
前記情報は、前記第２のネットワークノードにおいて前記ユーザ機器に割り当てる最大帯域幅の標示を含む、請求項１１に記載の装置。
【請求項１８】
前記第１のネットワークノードはマスター基地局を含み、前記第２のネットワークノードは前記多重接続動作のためのセカンダリ基地局を含む、請求項９から１１のいずれかに記載の装置。
【請求項１９】
前記コンピュータプログラムコードを含む前記少なくとも１つのメモリは、前記少なくとも１つのプロセッサによって、前記装置に、
前記第１のネットワークノードにおいて、前記差別化されたスケジューリングポリシーの少なくとも一部の値に基づいて、前記第２のネットワークノードが前記重複パケットの少なくとも一部をスケジューリングするという、前記第２のネットワークノードからの標示を受信することを遂行させるように構成されている、請求項９から１８のいずれかに記載の装置。
【請求項２０】
少なくとも１つのプロセッサと、
コンピュータプログラムコードを含む少なくとも１つのメモリと、を備える装置であって、
前記少なくとも１つのメモリおよび前記コンピュータプログラムコードは、前記少なくとも１つのプロセッサによって、前記装置に少なくとも、
第２のネットワークノードによって、第１のネットワークノードから、通信ネットワークにおける多重接続動作のための改良型サービスを利用するように構成されたユーザ機器とのデータパケット通信の重複データパケットをスケジューリングするための差別化されたスケジューリングポリシーを含む情報を受信することと、
前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定することと、
少なくとも前記決定された値に基づいて、前記ユーザ機器への送信のための前記重複パケットをスケジューリングすることと、
を遂行させるように構成されている、装置。
【請求項２１】
前記改良型サービスは、高信頼低レイテンシ通信型のサービスを含む、請求項２０に記載の装置。
【請求項２２】
前記ユーザ機器は、前記通信ネットワークにおける前記多重接続動作のためのパケットデータ収束プロトコルデータ複製を利用するように構成されている、請求項２０に記載の装置。
【請求項２３】
前記差別化されたスケジューリングポリシーの前記優先度目標は、前記重複パケットに対する、前記第１のネットワークノードの前記データパケット通信に関連付けられた優先度目標よりも低いまたは高い優先度の一方を含み、
前記差別化されたスケジューリングポリシーの前記ブロックエラー率目標は、前記重複パケットに対する、前記第１のネットワークノードの前記データパケット通信に関連付けられたブロックエラー率目標よりも高いまたは低いブロックエラー率目標の一方を含む、
請求項２０から２２のいずれかに記載の装置。
【請求項２４】
前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低く、
前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一である、
請求項２０から２２のいずれかに記載の装置。
【請求項２５】
前記情報は、前記第２のネットワークノードにおいて前記ユーザ機器に割り当てる最大帯域幅の標示を含む、請求項２０から２２のいずれかに記載の装置。
【請求項２６】
前記コンピュータプログラムコードを含む前記少なくとも１つのメモリは、前記少なくとも１つのプロセッサによって、前記装置に、
前記第２のネットワークノードから、前記差別化されたスケジューリングポリシーの少なくとも一部の値に基づいて、前記第２のネットワークノードが前記重複パケットの少なくとも一部をスケジューリングするという標示を、前記第１のネットワークノードに対して送信することを遂行させるように構成されている、
請求項２０から２２のいずれかに記載の装置。
【請求項２７】
第２のネットワークノードによって、第１のネットワークノードから、通信ネットワークにおける多重接続動作のための改良型サービスを利用するように構成されたユーザ機器とのデータパケット通信の重複データパケットをスケジューリングするための差別化されたスケジューリングポリシーを含む情報を受信することと、
前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定することと、
少なくとも前記決定された値に基づいて、前記ユーザ機器への送信のための前記重複パケットをスケジューリングすることと、
を含む、方法。
【請求項２８】
通信ネットワークにおける多重接続動作のための改良型サービスを利用するように構成されたユーザ機器とのデータパケット通信のためのスケジューリングポリシーを決定する手段と、
前記決定に基づいて、前記多重接続動作に関連付けられた第２のネットワークノードのためのスケジューリングポリシーを差別化する手段と、
を備える、装置。
【請求項２９】
第１のネットワークノードから、通信ネットワークにおける多重接続動作のための改良型サービスを利用するように構成されたユーザ機器とのデータパケット通信の重複データパケットをスケジューリングするための差別化されたスケジューリングポリシーを含む情報を受信することと、
前記差別化されたスケジューリングポリシーに基づいて、前記ユーザ機器への送信のための前記重複データパケットをスケジューリングするための優先度目標およびブロックエラー率目標の少なくとも一方を含む値を決定する手段と、
少なくとも前記決定された値に基づいて、前記ユーザ機器への送信のための前記重複パケットをスケジューリングする手段と、
を備える、装置。
【発明の詳細な説明】
【技術分野】
【０００１】
本発明の例示的実施形態に係る教示は、概して、多重接続動作のための最適化されたスケジューリングポリシーに関し、より詳細には、多重接続による高信頼低レイテンシ通信用に構成されたユーザ機器の多重接続動作のための最適化されたスケジューリングポリシーに関する。
【背景】
【０００２】
本セクションは、請求項に記載される本発明に背景や文脈を添えることを意図したものである。ここでの記載は、特許化可能であって、既に概念化、特許化は必ずしもされていないものを含み得る。したがって、本明細書に別途記載しない限り、本セクションの内容は、本願の明細書および請求項に対する先行技術ではなく、本セクションに含めることで先行技術として認められるものではない。
【０００３】
本明細書や図面に用いられる可能性のある特定の略語を以下に定義する。
５ＱＩ：    （5G QoS Indicator）５Ｇ  ＱｏＳ指示子
ＡＣＫ：    （Acknowledgment）確認応答
ＢＬＥＲ：    （Block Error Ratio）ブロックエラー率
ＢＷＰ：    （Bandwidth Part）帯域幅部分
ＣＣ：        （Component Carrier）コンポーネントキャリア
ＣＮ：        （Core Network）コアネットワーク
ＣｏＭＰ：    （Coordinated Multi-Point coordination）多地点協調
ＣＱＩ：    （Channel Quality Indicator）チャネル品質指示子
ＤＣ：        （Dual Connectivity）二重接続
ｅＭＢＢ：    （enhanced Mobile Broadband）高速大容量通信
ＥＮ−ＤＣ：    （E-Utran-NR DC）ＬＴＥと５Ｇの二重接続
ＥＮ−ＭＣ：    （E-Utran-NR MC）ＬＴＥと５Ｇの多重接続
ＨＡＲＱ：    （Hybrid Automatic Repeat reQuest）ハイブリッド自動再送要求
ＩＭＲ：    （Interference Measurement Resource）干渉測定リソース
ＬＴＥ：    （Long Term Evolution）ロングタームエボリューション
ＭＡＣ：    （Medium Access Control）メディアアクセス制御
ＭＢＢ：    （Mobile Broadband）モバイルブロードバンド
ＭＣ：        （Multi-Connectivity）多重接続
ＭＣＧ        （Master Cell Group）マスターセルグループ
ＭｇＮＢ：    （Master g Node B）マスターｇノードＢ
ＮＲ：        （New Radio）新無線
ＰＤＣＰ：    （Packet Data Convergence Protocol）パケットデータ収束プロトコル
ＰＤＵ：     （Protocol Data Unit）プロトコルデータユニット
ＰｇＮＢ：    （Primary g Node B）プライマリｇノードＢ
ＱｏＳ：    （Quality of Service）サービス品質
ＲＬＣ：    （Radio Link Control）無線リンク制御
ＳＣＧ：    （Secondary Cell Group）セカンダリセルグループ
ＳｇＮＢ：    （Secondary g Node B）セカンダリｇノードＢ
ＳＩＮＲ：    （Signal-to-Interference Ratio）信号対干渉比
ＳＮ：        （Sequence Number）シーケンス番号
ＴＴＩ：    （Transmission Time Interval）伝送時間間隔
ＵＲＬＬＣ：    （Ultra-Reliable Low Latency Communication）高信頼低レイテンシ通信
ＵＴＲＡＮ：    （Universal Terrestrial Radio Access Network）ユニバーサル地上無線アクセスネットワーク
Ｘ２：        （X2 Interface between two eNBs）２つのｅＮＢ間のＸ２インタフェース
Ｘｎ：        （Xn Interface between two gNBs）２つのｇＮＢ間のＸｎインタフェース
ＱｏＳ        （Quality-of-Service）サービス品質
【０００４】
広範囲のスペクトル領域で用いられている第５世代（5th Generation：５Ｇ）新無線（ＮＲ）通信技術は、現在のモバイルネットワーク通信技術に対して多様な使用状況や用途を拡大し、対応するために設計されている。５Ｇ  ＮＲ通信技術は、マルチメディアコンテンツ、サービス、およびデータにアクセスするための高速大容量通信（enhanced Mobile Broadband：ｅＭＢＢ）を提供する。さらに、他の通信技術と同様に、この５Ｇにおけるアクセスでは高信頼低レイテンシ通信（ＵＲＬＬＣ）が典型的に実施されている。ＵＲＬＬＣでは、例えば接続された多数のデバイスによる通信のレイテンシおよび信頼性の点で厳格な要件が規定されている。モバイルブロードバンドアクセスに対する需要が伸び続けていることから、ＬＴＥ、５Ｇ、さらにその先の通信技術における機能性をさらに充実させる必要がある。
【０００５】
本発明の例示的実施形態は、このような通信の改良に関する。
【摘要】
【０００６】
本発明の一例としての態様では、方法は、通信ネットワークの第１のネットワークノードによって（図４におけるネットワーク１００内のｇＮＢ１７０またはｇＮＢ１８０等）、前記通信ネットワークにおける多重接続動作のための改良型サービスを利用するように構成されたユーザ機器とのデータパケット通信のためのスケジューリングポリシーを決定することを含む。この方法はまた、前記決定に基づいて、前記第１のネットワークノードによって、前記多重接続動作に関連付けられた第２のネットワークノードのためのスケジューリングポリシーを差別化することを含む。
【０００７】
別の例示的実施形態では、前段落の方法を含む方法であって、前記改良型サービスは、高信頼低レイテンシ通信型のサービスを含み、前記第１のネットワークノードによって、前記第２のネットワークノードに対して、前記第２のネットワークノードで受信される前記多重接続動作に関連付けられた重複データパケットをスケジューリングするための前記差別化されたスケジューリングポリシーを含む情報を送信する。前記決定は、前記通信ネットワークから前記第１のネットワークノードによって受信された情報に基づく。前記受信された情報は、前記ユーザ機器の前記改良型サービスに関連付けられた、レイテンシバジェットＸミリ秒およびパケット損失耐性Ｐを含む値を示す。前記情報は、前記第２のネットワークノードが前記差別化スケジューリングに結び付けられた前記重複パケットのためのプライマリリンクまたはバックアップリンクの一方として機能すべきことを示す標示を含む。前記値に基づいて、前記データパケット通信のためのブロックエラー率目標を決定し、前記第１のネットワークノードによって、前記データパケット通信のための前記決定されたブロックエラー率を使用する。前記ユーザ機器は、前記通信ネットワークにおける前記多重接続動作のためのパケットデータ収束プロトコルデータ複製を利用するように構成されている。前記差別化されたスケジューリングポリシーは、前記第２のネットワークノードにおける前記スケジューリングのための優先度目標およびブロックエラー率目標の少なくとも一方を含む。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低く、前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記差別化されたスケジューリングポリシーの前記ブロックエラー率目標は、前記重複パケットに対する、前記第１のネットワークノードに関連付けられたブロックエラー率目標よりも高いまたは低いブロックエラー率目標の一方を含む。前記情報は、前記第２のネットワークノードにおいて前記ユーザ機器に割り当てる最大帯域幅の標示を含む。前記第１のネットワークノードはマスター基地局を含み、前記第２のネットワークノードは前記多重接続動作のためのセカンダリ基地局を含む。前記第１のネットワークノードによって、前記差別化されたスケジューリングポリシーの少なくとも一部の値に基づいて、前記第２のネットワークノードが前記重複パケットの少なくとも一部をスケジューリングするという、前記第２のネットワークノードからの標示を受信する。
【０００８】
本発明の別の例としての態様では、ネットワーク側装置等の装置は、少なくとも１つのプロセッサと、コンピュータプログラムコードを含む少なくとも１つのメモリと、を備える。前記少なくとも１つのメモリおよび前記コンピュータプログラムコードは、前記少なくとも１つのプロセッサによって、前記装置に少なくとも、前記通信ネットワークにおける多重接続動作のための改良型サービスを利用するように構成されたユーザ機器とのデータパケット通信のためのスケジューリングポリシーを決定することと、前記決定に基づいて、前記第１のネットワークノードによって、前記多重接続動作に関連付けられた第２のネットワークノードのためのスケジューリングポリシーを差別化することと、を遂行させるように構成されている。
【０００９】
別の例示的実施形態では、前段落の装置を含む装置であって、前記改良型サービスは、高信頼低レイテンシ通信型のサービスを含み、少なくとも１つのプロセッサと、コンピュータプログラムコードを含む少なくとも１つのメモリと、を備える。前記少なくとも１つのメモリおよび前記コンピュータプログラムコードは、前記少なくとも１つのプロセッサによって、前記装置に少なくとも、前記第１のネットワークノードから、前記第２のネットワークノードに対して、前記データパケット通信の重複データパケットと、前記第２のネットワークノードで受信される前記多重接続動作に関連付けられた前記重複データパケットをスケジューリングするための前記差別化されたスケジューリングポリシーを含む情報とを送信することを遂行させるように構成されている。前記決定は、前記通信ネットワークから前記第１のネットワークノードによって受信された情報に基づく。前記受信された情報は、前記ユーザ機器の前記改良型サービスに関連付けられた、レイテンシバジェットＸミリ秒およびパケット損失耐性Ｐを含む値を示し、前記情報は、前記第２のネットワークノードが前記差別化スケジューリングに結び付けられた前記重複パケットのためのプライマリリンクまたはバックアップリンクの一方として機能すべきことを示す標示を含む。前記値に基づいて、前記データパケット通信のためのブロックエラー率目標を決定し、前記第１のネットワークノードによって、前記データパケット通信のための前記決定されたブロックエラー率を使用する。前記ユーザ機器は、前記通信ネットワークにおける前記多重接続動作のためのパケットデータ収束プロトコルデータ複製を利用するように構成されている。前記差別化されたスケジューリングポリシーは、前記第２のネットワークノードにおける前記スケジューリングのための優先度目標およびブロックエラー率目標の少なくとも一方を含む。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低く、前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記差別化されたスケジューリングポリシーの前記ブロックエラー率目標は、前記重複パケットに対する、前記第１のネットワークノードに関連付けられたブロックエラー率目標よりも高いまたは低いブロックエラー率目標の一方を含む。前記情報は、前記第２のネットワークノードにおいて前記ユーザ機器に割り当てる最大帯域幅の標示を含む。前記第１のネットワークノードはマスター基地局を含み、前記第２のネットワークノードは前記多重接続動作のためのセカンダリ基地局を含む。前記第１のネットワークノードによって、前記差別化されたスケジューリングポリシーの少なくとも一部の値に基づいて、前記第２のネットワークノードが前記重複パケットの少なくとも一部をスケジューリングするという、前記第２のネットワークノードからの標示を受信する。
【００１０】
別の例示的実施形態では、装置は、通信ネットワークの第１のネットワークノードによって（図４におけるネットワーク１００内のｇＮＢ１７０またはｇＮＢ１８０等）、前記通信ネットワークにおける多重接続のための改良型サービスを利用するように構成されたユーザ機器とのデータパケット通信のためのスケジューリングポリシーを決定する手段と、前記決定に基づいて、前記第１のネットワークノードによって、前記多重接続動作に関連付けられた第２のネットワークノードのためのスケジューリングポリシーを差別化する手段と、を備える。
【００１１】
別の例示的実施形態では、前段落の装置を含む装置であって、前記改良型サービスは、高信頼低レイテンシ通信型のサービスを含み、当該装置は、前記第１のネットワークノードによって、前記第２のネットワークノードに対して、前記データパケット通信の重複データパケットと、前記第２のネットワークノードで受信される前記多重接続動作に関連付けられた前記重複データパケットをスケジューリングするための前記差別化されたスケジューリングポリシーを含む情報とを送信する手段を備える。前記決定は、前記通信ネットワークから前記第１のネットワークノードによって受信された情報に基づく。前記受信された情報は、前記ユーザ機器の前記改良型サービスに関連付けられた、レイテンシバジェットＸミリ秒およびパケット損失耐性Ｐを含む値を示し、前記情報は、前記第２のネットワークノードが前記差別化スケジューリングに結び付けられた前記重複パケットのためのプライマリリンクまたはバックアップリンクの一方として機能すべきことを示す標示を含む。前記値に基づいて、前記データパケット通信のためのブロックエラー率目標を決定し、前記第１のネットワークノードによって、前記データパケット通信のための前記決定されたブロックエラー率を使用する。前記ユーザ機器は、前記通信ネットワークにおける前記多重接続動作のためのパケットデータ収束プロトコルデータ複製を利用するように構成されている。前記差別化されたスケジューリングポリシーは、前記第２のネットワークノードにおける前記スケジューリングのための優先度目標およびブロックエラー率目標の少なくとも一方を含む。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低く、前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記差別化されたスケジューリングポリシーの前記ブロックエラー率目標は、前記重複パケットに対する、前記第１のネットワークノードに関連付けられたブロックエラー率目標よりも高いまたは低いブロックエラー率目標の一方を含む。前記情報は、前記第２のネットワークノードにおいて前記ユーザ機器に割り当てる最大帯域幅の標示を含む。前記第１のネットワークノードはマスター基地局を含み、前記第２のネットワークノードは前記多重接続動作のためのセカンダリ基地局を含む。前記第１のネットワークノードによって、前記差別化されたスケジューリングポリシーの少なくとも一部の値に基づいて、前記第２のネットワークノードが前記重複パケットの少なくとも一部をスケジューリングするという、前記第２のネットワークノードからの標示を受信する手段を含む。
【００１２】
本発明の一例としての態様では、方法は、第２のネットワークノードによって、第１のネットワークノードから、前記通信ネットワークにおける多重接続動作のための改良型サービスを利用するように構成されたユーザ機器とのデータパケット通信の重複データパケットをスケジューリングするための差別化されたスケジューリングポリシーを含む情報を受信することと、前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定することと、少なくとも前記決定された値に基づいて、前記ユーザ機器への送信のための前記重複パケットをスケジューリングすることと、を含む。
【００１３】
別の例示的実施形態では、前段落の方法を含む方法であって、前記ユーザ機器は、前記通信ネットワークにおける前記多重接続動作のためのパケットデータ収束プロトコルデータ複製を利用するように構成されている。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記差別化されたスケジューリングポリシーの前記ブロックエラー率目標は、前記重複パケットに対する、前記第１のネットワークノードの前記データパケット通信に関連付けられたブロックエラー率目標よりも高いまたは低いブロックエラー率目標の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低い。前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記情報は、前記第２のネットワークノードにおいて前記ユーザ機器に割り当てる最大帯域幅の標示を含む。前記第２のネットワークノードはセカンダリ基地局を含み、前記第１のネットワークノードは前記多重接続動作のためのマスター基地局を含む。前記第２のネットワークノードによって、前記差別化されたスケジューリングポリシーの少なくとも一部の値に基づいて、前記第２のネットワークノードが前記重複パケットの少なくとも一部をスケジューリングするという標示を、前記第１のネットワークノードに対して送信する。
【００１４】
本発明の別の例としての態様では、ネットワーク側装置、例えば図４におけるｇＮＢ１８０等の装置は、少なくとも１つのプロセッサと、コンピュータプログラムコードを含む少なくとも１つのメモリと、を備える。前記少なくとも１つのメモリおよび前記コンピュータプログラムコードは、前記少なくとも１つのプロセッサによって、前記装置に少なくとも、第２のネットワークノードによって、第１のネットワークノードから、前記通信ネットワークにおける多重接続動作のための改良型サービスを利用するように構成されたユーザ機器とのデータパケット通信の重複データパケットをスケジューリングするための差別化されたスケジューリングポリシーを含む情報を受信することと、前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定することと、少なくとも前記決定された値に基づいて、前記ユーザ機器への送信のための前記重複パケットをスケジューリングすることと、を遂行させるように構成されている。
【００１５】
別の例示的実施形態では、前段落の装置を含む装置であって、前記ユーザ機器は、前記通信ネットワークにおける前記多重接続動作のためのパケットデータ収束プロトコルデータ複製を利用するように構成されている。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記差別化されたスケジューリングポリシーの前記ブロックエラー率目標は、前記重複パケットに対する、前記第１のネットワークノードの前記データパケット通信に関連付けられたブロックエラー率目標よりも高いまたは低いブロックエラー率目標の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低い。前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記情報は、前記第２のネットワークノードにおいて前記ユーザ機器に割り当てる最大帯域幅の標示を含む。前記第２のネットワークノードはセカンダリ基地局を含み、前記第１のネットワークノードは前記多重接続動作のためのマスター基地局を含む。前記第２のネットワークノードによって、前記差別化されたスケジューリングポリシーの少なくとも一部の値に基づいて、前記第２のネットワークノードが前記重複パケットの少なくとも一部をスケジューリングするという標示を、前記第１のネットワークノードに対して送信する。
【００１６】
別の例示的実施形態では、装置は、第２のネットワークノードによって、第１のネットワークノードから、前記通信ネットワークにおける多重接続動作のための改良型サービスを利用するように構成されたユーザ機器とのデータパケット通信の重複データパケットをスケジューリングするための差別化されたスケジューリングポリシーを含む情報を受信する手段と、前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定する手段と、少なくとも前記決定された値に基づいて、前記ユーザ機器への送信のための前記重複パケットをスケジューリングする手段と、を備える。
【００１７】
別の例示的実施形態では、前段落の装置を含む装置であって、前記ユーザ機器は、前記通信ネットワークにおける前記多重接続動作のためのパケットデータ収束プロトコルデータ複製を利用するように構成されている。前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。前記差別化されたスケジューリングポリシーの前記ブロックエラー率目標は、前記重複パケットに対する、前記第１のネットワークノードの前記データパケット通信に関連付けられたブロックエラー率目標よりも高いまたは低いブロックエラー率目標の一方を含む。前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低い。前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一であり、前記情報は、前記第２のネットワークノードにおいて前記ユーザ機器に割り当てる最大帯域幅の標示を含む。前記第２のネットワークノードはセカンダリ基地局を含み、前記第１のネットワークノードは前記多重接続動作のためのマスター基地局を含む。前記第２のネットワークノードによって、前記差別化されたスケジューリングポリシーの少なくとも一部の値に基づいて、前記第２のネットワークノードが前記重複パケットの少なくとも一部をスケジューリングするという標示を、前記第１のネットワークノードに対して送信する。
【図面の簡単な説明】
【００１８】
本発明の実施形態の上述およびその他の態様は、以下の図面と合わせて後述の詳細な説明を読むことによってさらに明らかになる。
【００１９】
【図１】図１は、データ複製のための二重接続を示す。
【００２０】
【図２】図２は、本発明の例示的実施形態に係るＭＡＣスケジューラにおける結果としての優先順位付けを示す動作を実施する各種デバイスの例を示す。
【００２１】
【図３】図３ａおよび図３ｂは、装置によって実施され得る本発明の例示的実施形態に係る方法を示す。
【００２２】
【図４】図４は、本発明の各種態様を実施する際に使用できる各種デバイスの高度ブロック図を示す。
【詳細説明】
【００２３】
本発明では、二重接続による高信頼低レイテンシ通信用に構成されたユーザ機器の多重接続のための最適化されたスケジューリングポリシーが提案されている。
【００２４】
ＬＴＥリリース１２／１３で３ＧＰＰにより標準化された二重接続（ＤＣ）は、ＬＴＥアドバンストキャリアアグリゲーション（ＣＡ）機能を拡張し、ユーザ機器（ＵＥ）は同時に２つの異なるｅＮＢとデータを送受信できるようになった。ＤＣはこれまで、ＰＤＣＰ層でのデータ分割を用いて処理量を引き上げる策として提案されてきた。
【００２５】
５Ｇの新無線（ＮＲ）標準化活動において、ＤＣおよび多重接続（ＭＣ）は、データの堅牢性および信頼性を異なるノード間のデータ複製によって引き上げるという目的で、高信頼低レイテンシ通信（ＵＲＬＬＣ）用途に対する可能な解決策として標準化されている。３ＧＰＰのＮＲリリース１５において信頼性を改善すべく、ＮＲについてＰＤＣＰパケット複製に対応することが合意されている。本発明は、ＵＲＬＬＣに対するＤＣ／ＭＣダウンリンクの動作改善を目的としている。
【００２６】
より詳細には、本発明の例示的実施形態は、ＰＤＣＰデータ複製によってＭＣを利用したコスト対効果を大きくすることに資する、最適化されたｇＮＢスケジューリングのフレームワークに関する。この特徴を利用する際のコストは、無線リソースがプライマリｇＮＢおよびセカンダリｇＮＢ（ＰｇＮＢまたはＭｇＮＢおよびＳｇＮＢと表記される）の両方で使用されることであり、一方、その効果は、２つの独立したリンクを介して同じデータを送信する冗長性が追加されることである（すなわち、積分誤差の可能性が低減される）。コストを抑えるために、本発明の例示的実施形態は、他のＵＲＬＬＣユーザに対してキューイング遅延を起こさない程度までＳｇＮＢにおける無線リソースの使用を制限するべく、少なくとも新たなスケジューリングポリシーを設ける。
【００２７】
ＵＲＬＬＣの動作では、レイテンシバジェットがあるため、トランスポート層の再送はできない。ただし、アプリケーションのデータパケットを複製し、異なる無線技術通信インタフェースに取り付けられたソケットを介してこれらパケットを送信することによって、マルチインタフェースの多様性が実現可能となる。レイテンシは第１の到達パケットによって決定でき、パケット複製（ＰＤ）によるインタフェースの多様性を用いてＵＲＬＬＣの動作における信頼性を向上し、低レイテンシを促進できる。
【００２８】
本発明の一例としての実施形態は、アンカーノードおよび複製ノードから、ＰＤＣＰサブレイヤでＰＤＣＰパケット複製を利用した多重接続用に構成されたＵＲＬＬＣのＵＥのための差別化されたスケジューリングポリシーの生成に関する。ユーザプレーンのＰＤＣＰサブレイヤのプライマリサービスおよび諸機能には、シーケンス番号付け、ヘッダー圧縮および解凍、ユーザデータの転送、並べ替えおよび重複検出（ＰＤＣＰより上層への順序が保証された配信（インオーダーデリバリー）が必要な場合）、ＰＤＣＰ  ＰＤＵルーティング（分割ベアラの場合）、ＰＤＣＰ  ＳＤＵの再送、暗号化および解読、ＰＤＣＰ  ＳＤＵの破棄、回復、およびデータ復旧、ならびにＰＤＣＰ  ＰＤＵの複製が含まれる。ＮＲ動作では、完全なＰＤＣＰ  ＰＤＵが順序を保証せず（アウトオブオーダー）、ＲＬＣからＰＤＣＰへ配信され得る。ＲＬＣは、ＰＤＵを再構築した後、ＰＤＣＰへＰＤＣＰ  ＰＤＵを配信する。ＤＣ／ＭＣ機能に対するもの等のＰＤＣＰの並べ替えは、ＰＤＣＰの上層に対する順序どおりの配信（インシーケンスデリバリー）が必要である場合（すなわち、ＤＣではない場合であっても）に、例えばパケット自体が順序どおりでない可能性があるため、実施可能となる。なお、ＲＬＣが順序どおりの配信を行う限り、ＰＤＣＰはＤＣ／ＭＣなしの並べ替えを行う必要はない。
【００２９】
ＮＲの用途等のための、ダウンリンク方向におけるデータ複製による多重接続動作を、図１に概略的に示す。説明を簡潔にするため、以下では２つのｇＮＢ間のＤＣ動作を説明する。ＭｇＮＢ１１０は、コアネットワークからのトラフィックがこれに向かって終端し、また、ＰＤＣＰ複製を制御しており、ＰＤＣＰアンカーノードと呼ばれる。一方、例えば図１のＳｇＮＢ１２０等の他のｇＮＢは、所与のＵＥに対する複製されたＰＤＣＰパケットを提供し、ＰＤＣＰ複製ノードまたはセカンダリノードと呼ばれる。パケット１１５がＰＤＣＰアンカーｇＮＢ１１０に到達すると、ＰＤＣＰ層で複製されることがあり、この場合、複製されたパケット１２５がＸｎネットワークインタフェース（複数可）を介して１つ以上のＰＤＣＰ複製ｇＮＢノードに転送される。次に、同じデータパケット（すなわち、所与のシーケンス番号（ＳＮ）が付されたＰＤＣＰ  ＰＤＵ）が独立して同じノードに送信される。ＵＥ１３０は複数のリンク（アンカーｇＮＢおよび複製ｇＮＢ）を介して、ｇＮＢ１１０およびＳｇＮＢ１２０とのパケット通信を行う。ＭｇＮＢ１１０およびＳｇＮＢ１２０におけるＲＬＣ／ＭＡＣ／ＰＨＹ（物理層）は独立して動作し、したがってスケジューリング、リンク適応化、ＨＡＲＱ動作等のＲＲＭ（無線リソース管理）機能は、例えば、ＭｇＮＢ１１０および／またはＳｇＮＢ１２０といった基地局ノード内で別々に実施される。
【００３０】
本明細書に記載された例示的実施形態では、複製の組という用語は、複製されたパケットを送信可能なｇＮＢ（すなわち、アンカーｇＮＢおよび複製ｇＮＢ）の組を示すために用いられる。
【００３１】
ＰＤＣＰデータ複製による二重接続等の多重接続によって、冗長性が追加され、誤差の可能性が低減される。これは、（例えば、ＭｇＮＢおよびＳｇＮＢからＵＥに向かう）２つの伝送路における誤差は、通常、相関関係がないためである。前者は、ＵＲＬＬＣの事例に対するＰＤＣＰデータ複製によるＤＣを用いることによる効果となっている。ただし、このような効果はコストを伴う。この場合のコストは、１ユーザの同じＰＤＵに対して２つのｇＮＢで無線リソースを使用することである。マルチセル／マルチユーザ式のセルラーシステム（例えば５Ｇ  ＮＲ）では、無線リソースを余分に使用すると、ネットワークの負荷状況に応じて様々な影響が生じる。低負荷から中負荷の領域では、いずれにせよ使用されていない無線リソースがあるため、ＤＣのＵＲＬＬＣユーザに対する追加の無線リソースを使用することによるコストは許容範囲内である。しかし、負荷が増加すると、ＤＣのＵＲＬＬＣユーザに対する追加の無線リソースの使用による望ましくない効果が生じる。最も大きな影響は、ｇＮＢで追加のスケジューリングのキューイング遅延を生じさせ、これが厳しいレイテンシバジェットに紐付けられているＵＲＬＬＣ型の用途については問題となる。ＮのＵＲＬＬＣユーザがＤＣにより２つのｇＮＢからスケジューリングされる場合を想定すると、Ｎが増えると、Ｎのユーザ全てが同じＴＴＩでスケジューリング可能にはならない。全てのＵＥがデータ複製を利用しているわけではない場合、ＵＥ１台当たりの無線リソース使用量は低く抑えられ、したがってより多くのユーザが同時にスケジューリング可能となり、キューイング遅延の可能性が低減する。実際、スケジューリング可能なＵＲＬＬＣユーザ（すなわち、送信待ちのペイロードがあるもの）の数は、ＵＲＬＬＣトラフィックの散発的な性質によって、さらにＵＥによる無線状況（例えば実際のＳＩＮＲ）の変化によって、ＴＴＩ間で急速に変動するランダムプロセスによる。
【００３２】
上記を鑑み、本発明の例示的実施形態は、ＵＲＬＬＣユーザに対してｇＮＢでの不要なキューイング遅延を避けるという課題、特に、ＤＣ用に構成されたＵＲＬＬＣユーザがキューイング遅延を生じることを防ぐという課題に少なくとも対処する。本発明の例示的実施形態によると、ＭｇＮＢおよびＳｇＮＢ等のネットワークノードのそれぞれについて差別化されたスケジューリングポリシーが規定されている、改良されたスケジューリングフレームワークによってこれらの課題に対処する。
【００３３】
簡潔に述べると、本発明の態様では、ＭｇＮＢおよびＳｇＮＢからの（ＰＤＣＰパケット複製を利用して）ＤＣ用に構成されたＵＲＬＬＣのＵＥのための差別化されたスケジューリングポリシーを使用する。ポイントは、ＭｇＮＢからＵＥへは積極的なＭＡＣ層スケジューリングポリシーを使用し、ＳｇＮＢからＵＥへはより余裕のあるスケジューリングストラテジーを使用することである。これによって、ＳｇＮＢ経由で送られる複製されたＰＤＣＰパケットが、やはりＳｇＮＢからスケジューリングされる必要のある他の高優先度のデータフローに対するキューイング遅延を生じる可能性が低くなる。したがって、ＭｇＮＢからのＵＥのスケジューリングは、５ＱＩ（すなわち、優先度、レイテンシ、パケット損失率）を満たすことを第一義に実施される。ＭｇＮＢは、ＳｇＮＢに対して、ＭｇＮＢによって転送され、ＳｇＮＢを介してスケジューリングされる複製されたデータにＳｇＮＢが適用すべきパケット転送の処理を示す。このパケット処理は、例えば、低優先度、さらに場合によってはより高い目標パケット損失率を有する専用ＭＡＣ層スケジューリング設定という点で修正されたＱｏＳパラメータをシグナリングすることによって示される。
【００３４】
限定的ではないが一例として、ＭｇＮＢ内のＭＡＣスケジューラがパケット損失率１％の最高優先度でＵＲＬＬＣのＵＥをスケジューリングし、ＳｇＮＢ内のスケジューラが中程度の優先度と１０％のパケット損失率で複製されたデータを処理する場合に当てはめることができる。これによって、ＳｇＮＢからＵＥへのリンクは、主にＳｇＮＢを介して送られる他の高優先度ＵＲＬＬＣトラフィックに対してキューイング遅延を生じることなく、可能であれば常に使用される「安全リンク」／「バックアップリンク」として扱われる。これは、ＰＤＣＰデータ複製によるＤＣのコスト対効果がより効率的に活用されていることを本質的に意味する。
【００３５】
以下では、本発明の例示的実施形態をより詳細に説明する。
【００３６】
図４のＵＥ１２０等のＵＥ＃１が、例えば、ｇＮＢ  Ａ、ｇＮＢ  Ｂ（図２のＳｇＮＢ１２０等）間のＰＤＣＰデータ複製を利用したＤＣによる、多重接続用に構成されている場合を想定する。
【００３７】
この場合、ｇＮＢ  Ａは、ＵＥ＃１に対する図４のｇＮＢ１７０等のＭｇＮＢであり、一方、ｇＮＢ  Ｂは、図４のＵＥ１１０等のＵＥ＃１に対する図４のｇＮＢ１８０等のＳｇＮＢである。システム内には、これらのｇＮＢに接続された他のＵＥもある。この例では、ＵＥ＃１はダウンリンクにＵＲＬＬＣ型のサービスを有し、高信頼目標ＰにおけるレイテンシバジェットはＸミリ秒である。ＸとＰの値は（一例として）、Ｘが１ミリ秒または５ミリ秒、Ｐが９９．９９９％または９９．９％であってもよい。ＰとＸの値は、ＣＮからＭｇＮＢに、５ＱＩの一部としてシグナリングされる。
【００３８】
ＭｇＮＢでは、５ＱＩ情報が解釈されて、低層ＭＡＣスケジューラがガイドされる。ＭｇＮＢにおけるＭＡＣスケジューラは、ＵＥ＃１に対するデータを、高優先度（ＵＲＬＬＣであるため）と比較的低い第１の送信ＢＬＥＲ目標でスケジューリングするように指示される。例えばＸ＝１ミリ秒でＰ＝９９．９９９％である場合、ＭｇＮＢにおけるＭＡＣは、１％という第１の送信ＢＬＥＲ目標を目指し得る。レイテンシ目標Ｘ＝１ミリ秒以内で、ＨＡＲＱ再送が一度可能であるためである。
【００３９】
ＭｇＮＢは、ＵＥ＃１のパケットを複製し、それをＳｇＮＢに転送する。次に、ＵＥ＃１に対して複製されたパケットをＳｇＮＢでスケジューリングするため、さらに、ＭｇＮＢは、ＵＥ＃１のスケジューリングについてＳｇＮＢ  ＭＡＣ層が目指す優先度およびＢＬＥＲ目標をシグナリングする。ＭｇＮＢは、ＳｇＮＢについて（その優先度と比較して）より低い相対スケジューリング優先度をシグナリングする。ＭｇＮＢは優先度を、例えば５ＱＩの優先度レベル情報としてシグナリングできる。さらにより高いＢＬＥＲも可能である（例えば、ＭｇＮＢリンクに対する１％と比較して、１０％ＢＬＥＲ目標を使用する）。ＳｇＮＢからの送信により高いＢＬＥＲ目標を使用することで、ＵＲＬＬＣペイロード送信に必要となる無線リソースの低減が図られる。前者は、より低いスケジューリング優先度と組み合わせると、ｇＮＢ  Ｂ（例えば、ＳｇＮＢ）を介したＵＥ＃１に対する複製されたデータが、ｇＮＢ  Ｂが対応し得る他のＵＲＬＬＣユーザに対するキューイング遅延を生じる優先度はかなり低くなる。さらに、ＭｇＮＢは、エネルギー効率の良いバックアップリンクを実現するべく、ＳｇＮＢ上でＵＥ＃１に割り当てる最大帯域幅部分（ＢＷＰ）についての標示をＳｇＮＢに追加で提供できる。
【００４０】
別の例示的実施形態では、ｇＮＢ  Ｂが早急に対応する必要のあるＵＲＬＬＣユーザが他になければ、ｇＮＢ  Ｂが対応し得るその他可能性のあるベストフォートｅＭＢＢトラフィックよりも高い優先度を有するものとして、複製されたＵＲＬＬＣペイロードのＵＥ＃１への緊急スケジューリングが発生する。これによって、提案の発明は、ネットワークにおけるその他ＵＲＬＬＣユーザに対する不要なキューイング遅延がＰＤＣＰデータ複製によって可能な限り生じないようにしながら、ＰＤＣＰデータ複製によるＤＣの利点を得られるときに自動的に得る。
【００４１】
図２は、ＭＡＣスケジューラにおける結果としての優先順位付けを示す、例示的実施形態に係る方法を示す。図２に示すとおり、ｇＮＢ１  ３１０およびｇＮＢ２  ３２０が設けられ、これらのｇＮＢは、それぞれ図２におけるマスターｇＮＢ１７０およびセカンダリｇＮＢ１８０等のように構成可能である。図２に示すとおり、ｇＮＢ１およびｇＮＢ２は、これらの間を接続するＸｎインタフェースを有する。
【００４２】
このＸｎインタフェースは、ＮＲ−ＮＲ  ＤＣなどの無線通信技術に対するネットワークインタフェースに対応するため、Ｘ２インタフェースを拡張したものであり得る。すなわち、Ｘｎインタフェースは実施形態のとおり、ＮＲにおけるｇＮＢ１およびｇＮＢ２の２つの間の相互作用に対応可能である（一方、Ｅ−ＵＴＲＡ−ＮＲ二重接続または多重接続ＥＮ−ＤＣ／ＥＮ−ＭＣなどの３ＧＰＰに属するマルチＲＡＴ  ＤＣ／ＭＣの一部のその他のＤＣ／ＭＣ構造は、Ｘ２インタフェースを使用可能である）。さらに、図２に示すように、ＵＥ＃１  ３１０はｇＮＢ１およびｇＮＢ２に接続され、ＵＥ＃１  ３１０はｇＮＢ１  ３１０およびｇＮＢ２  ３２０に二重接続している。図２に示すように、ｇＮＢ１は、ＵＥ＃１  ３１０に対する、この部分のＵＲＬＬＣ送信をスケジューリングするための、１％ＢＬＥＲ目標を含む緊急（例えば、ＵＲＬＬＣ）スケジューリングのためのプライマリ無線部分３３５を提供する。ｇＮＢ２  ３２０は、二重接続に対して、バックアップ無線部分３４５を担っている。バックアップ無線部分３４５は、ＵＥ＃１  ３１０に対して、この部分上でＵＲＬＬＣ送信をスケジューリングするための１０％ＢＬＥＲ目標を適用している。さらに、図２に示すように、ｇＮＢ１  ３１０に対する単一接続性を有するＭＢＢ  ＵＥ＃５  ３３０およびＭＢＢ  ＵＥ＃４、ｇＮＢ２  ３２０に対する単一接続性を有するＭＢＥ  ＵＥ＃２およびＭＢＢ  ＵＥ＃３など、その他ＵＥもあり得る。これらＵＥに対する通信は、例示的実施形態によると、ＵＲＬＬＣシグナリングよりも緊急性が高くないと考えられ得る。これらＵＥは、例示的実施形態によると、その他二重接続されたＵＥと協働し、ｇＮＢ１  ３１０およびｇＮＢ２  ３２０の両方からＵＲＬＬＣ送信を受信するように構成され得る。さらに、本発明の例示的実施形態に関わる動作は、１つのノードのみがｇＮＢで、その他動作可能な基地局がｅＮＢで、ＥＮ−ＤＣの場合同様、基地局の１つ以上がＭＣＧまたはＳＣＧベアラ分割のため、ＮＲに対応し得る場合に、実施されてもよい。
【００４３】
なお、提案の方法は、ＭｇＮＢがプライマリ無線部分を提供し、ＳｇＮＢがバックアップ無線部分を提供する場合について説明されたが、例示的実施形態ではＭｇＮＢとＳｇＮＢとの役割が逆でもよい。ＭｇＮＢは、高優先度と、第１の送信用の低ＢＬＥＲ目標により、ＵＥ＃１の複製されたパケットを扱うように、ＳｇＮＢにシグナリング可能である。この状況では、ＳｇＮＢは、ＵＥの５ＱＩパラメータと高優先度に応じてパケットを扱うことが可能であることを確認するための確認応答を、ＭｇＮＢに送信する。
【００４４】
図３ａは、図４におけるネットワークノードｇＮＢ１７０またはＭｇＮＢ等のｅＮＢ等が挙げられるが、これらに限定されないネットワークデバイスによって実施され得る動作を示す。図３ａのステップ３５０に示すとおり、通信ネットワークの第１のネットワークノードによって、前記通信ネットワークにおける多重接続動作のための改良型サービスを利用するように構成されたユーザ機器とのデータパケット通信のためのスケジューリングポリシーを決定する。次に、図３ａのステップ３６０に示すとおり、前記決定に基づいて、前記第１のネットワークノードによって、前記多重接続動作に関連付けられた第２のネットワークノードのためのスケジューリングポリシーを差別化する。
【００４５】
上記段落に記載の例示的態様によると、前記改良型サービスは、高信頼低レイテンシ通信型のサービスを含む。
【００４６】
上記段落に記載の例示的態様によると、前記第１のネットワークノードによって、前記第２のネットワークノードに対して、前記データパケット通信の重複データパケットと、前記第２のネットワークノードで受信される前記多重接続動作に関連付けられた前記重複データパケットをスケジューリングするための前記差別化されたスケジューリングポリシーを含む情報とを送信する。
【００４７】
上記段落に記載の例示的態様によると、前記決定は、前記通信ネットワークから前記第１のネットワークノードによって受信された情報に基づく。
【００４８】
上記段落に記載の例示的態様によると、前記受信された情報は、前記ユーザ機器の前記改良型サービスに関連付けられた、レイテンシバジェットＸミリ秒およびパケット損失耐性Ｐを含む値を示す。前記情報は、前記第２のネットワークノードが前記差別化スケジューリングに結び付けられた前記重複パケットのためのプライマリリンクまたはバックアップリンクの一方として機能すべきことを示す標示を含む。
【００４９】
上記段落に記載の例示的態様によると、前記値に基づいて、前記データパケット通信のためのブロックエラー率目標を決定し、前記第１のネットワークノードによって、前記データパケット通信のための前記決定されたブロックエラー率を使用する。
【００５０】
上記段落に記載の例示的態様によると、前記ユーザ機器は、前記通信ネットワークにおける前記多重接続動作のためのパケットデータ収束プロトコルデータ複製を利用するように構成されている。
【００５１】
上記段落に記載の例示的態様によると、前記差別化されたスケジューリングポリシーは、前記第２のネットワークノードにおける前記スケジューリングのための優先度目標およびブロックエラー率目標の少なくとも一方を含む。
【００５２】
上記段落に記載の例示的態様によると、前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。
【００５３】
上記段落に記載の例示的態様によると、前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低い。
【００５４】
上記段落に記載の例示的態様によると、前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一である。
【００５５】
上記段落に記載の例示的態様によると、前記差別化されたスケジューリングポリシーの前記ブロックエラー率目標は、前記重複パケットに対する、前記第１のネットワークノードに関連付けられたブロックエラー率目標よりも高いまたは低いブロックエラー率目標の一方を含む。
【００５６】
上記段落に記載の例示的態様によると、前記情報は、前記第２のネットワークノードにおいて前記ユーザ機器に割り当てる最大帯域幅の標示を含む。
【００５７】
上記段落に記載の例示的態様によると、前記第１のネットワークノードはマスター基地局を含み、前記第２のネットワークノードは前記多重接続動作のためのセカンダリ基地局を含む。
【００５８】
上記段落に記載の例示的態様によると、前記第１のネットワークノードによって、前記差別化されたスケジューリングポリシーの少なくとも一部の値に基づいて、前記第２のネットワークノードが前記重複パケットの少なくとも一部をスケジューリングするという、前記第２のネットワークノードからの標示を受信する。
【００５９】
例示的実施形態によると、プログラムコード（図４のコンピュータプログラムコード１５３）を記憶する非一時的コンピュータ可読媒体（図４のメモリ１５５）であって、前記プログラムコードは、少なくとも１つのプロセッサ（図４のプロセッサ１５２、および／または通信モジュール１５０−１、および／または通信モジュール１５０−２）によって実行されると、上述の段落に少なくとも記載された動作を実施させる。
【００６０】
上述の本発明の例示的態様によると、装置は、通信ネットワーク［図２におけるネットワーク１００］の第１のネットワークノード［図４のｇＮＢ１７０］によって、前記通信ネットワークにおける多重接続動作のための改良型サービスを利用するように構成されたユーザ機器［図４におけるＵＥ１１０］とのデータパケット通信のためのスケジューリングポリシーを決定する手段［図２におけるプロセッサ１５２、通信モジュール１５０−１、および／または通信モジュール１５０−２、およびコンピュータプログラムコード１５３］と、前記決定に基づいて、前記第１のネットワークノード［図４のｇＮＢ１７０］によって、前記多重接続動作に関連付けられた第２のネットワークノード［図４におけるｇＮＢ１８０］のための前記スケジューリングポリシーを差別化する手段［図２におけるプロセッサ１５２、通信モジュール１５０−１、および／または通信モジュール１５０−２、およびコンピュータプログラムコード１５３］と、を備える。
【００６１】
上述の段落に係る本発明の一例としての態様において、少なくとも前記決定する手段は、少なくとも１つのプロセッサ［図４におけるプロセッサ１５２、通信モジュール１５０−１、および／または通信モジュール１５０−２］によって実行可能なコンピュータプログラム［図４のコンピュータプログラムコード１５３］によって符号化された非一時的コンピュータ可読媒体［図４におけるメモリ１５５］を含む。
【００６２】
図３ｂは、図４におけるネットワークノードｇＮＢ１８０またはｅＮＢ等が挙げられるが、これらに限定されないネットワークデバイスによって実施され得る動作を示す。図３ｂのステップ３７０に示すとおり、第２のネットワークノードによって、第１のネットワークノードから、前記通信ネットワークにおける多重接続動作のための改良型サービスを利用するように構成されたユーザ機器とのデータパケット通信の重複データパケットをスケジューリングするための差別化されたスケジューリングポリシーを含む情報を受信する。図３ｂのステップ３８０に示すとおり、前記差別化されたスケジューリングポリシーに基づいて、前記ユーザ機器への送信のための前記第２のネットワークノードにおける前記重複データパケットをスケジューリングするための優先度目標およびブロックエラー率目標の少なくとも一方を含む値を決定する。次に、図３ｂのステップ３９０に示すとおり、少なくとも前記決定された値に基づいて、前記ユーザ機器への送信のための前記重複パケットをスケジューリングする。
【００６３】
上記段落に記載の例示的態様によると、前記改良型サービスは、高信頼低レイテンシ通信型のサービスを含む。
【００６４】
上記段落に記載の例示的態様によると、前記ユーザ機器は、前記通信ネットワークにおける前記多重接続動作のためのパケットデータ収束プロトコルデータ複製を利用するように構成されている。
【００６５】
上記段落に記載の例示的態様によると、前記差別化されたスケジューリングポリシーの前記優先度目標は、前記重複パケットに対する、前記第１のネットワークノードの前記データパケット通信に関連付けられた優先度目標よりも低いまたは高い優先度の一方を含む。
【００６６】
上記段落に記載の例示的態様によると、前記差別化されたスケジューリングポリシーの前記ブロックエラー率目標は、前記重複パケットに対する、前記第１のネットワークノードの前記データパケット通信に関連付けられたブロックエラー率目標よりも高いまたは低いブロックエラー率目標の一方を含む。
【００６７】
上記段落に記載の例示的態様によると、前記第１のネットワークノードが前記データパケット通信のためのプライマリノードであることに基づいて、前記第２のネットワークノードにおける重複パケットは、前記データパケット通信のパケットと競合しており、前記差別化されたスケジューリングポリシーの前記競合する重複パケットの優先度は、前記プライマリノードの前記データパケット通信の前記パケットに関連付けられた優先度よりも低い。
【００６８】
上記段落に記載の例示的態様によると、前記第１のネットワークノードが前記データパケット通信のためのバックアップノードであることに基づいて、前記差別化されたスケジューリングポリシーの任意の競合する重複パケットの優先度は、前記バックアップノードの前記データパケット通信のパケットに関連付けられた優先度と同一である。
【００６９】
上記段落に記載の例示的態様によると、前記情報は、前記第２のネットワークノードにおいて前記ユーザ機器に割り当てる最大帯域幅の標示を含む。
【００７０】
上記段落に記載の例示的態様によると、前記第２のネットワークノードはセカンダリ基地局を含み、前記第１のネットワークノードは前記多重接続動作のためのマスター基地局を含む。
【００７１】
上記段落に記載の例示的態様によると、前記第２のネットワークノードによって、前記差別化されたスケジューリングポリシーの少なくとも一部の値に基づいて、前記第２のネットワークノードが前記重複パケットの少なくとも一部をスケジューリングするという標示を、前記第１のネットワークノードに対して送信する。
【００７２】
例示的実施形態によると、プログラムコード［図４におけるコンピュータプログラムコード１９３］を記憶する非一時的コンピュータ可読媒体［図４におけるメモリ１９５］であって、前記プログラムコードは、少なくとも１つのプロセッサ［図４におけるプロセッサ１８２、および／または通信モジュール１８０−１、および／または通信モジュール１９９］によって実行されると、上述の段落に少なくとも記載された動作を実施させる。
【００７３】
上述の本発明の例示的態様によると、装置は、第２のネットワークノード［図２におけるｇＮＢ１８０］によって、第１のネットワークノード［図４におけるｇＮＢ１７０］から、前記通信ネットワークにおける多重接続動作のための改良型サービスを利用するように構成された［図４におけるプロセッサ１８２、通信モジュール１８０−１、および／または通信モジュール１９９、およびコンピュータプログラムコード１９３］ユーザ機器とのデータパケット通信の重複データパケットをスケジューリングするための差別化されたスケジューリングポリシーを含む情報を受信する手段［図４におけるＲＲＨ２０５、プロセッサ１８２、通信モジュール１８０−１、および／または通信モジュール１９９、およびコンピュータプログラムコード１９３］と、前記差別化されたスケジューリングポリシーに基づいて、前記ユーザ機器への送信のための前記第２のネットワークノード［図４におけるｇＮＢ１８０］における前記重複データパケットをスケジューリングするための優先度目標およびブロックエラー率目標の少なくとも一方を含む値を決定する手段［図４におけるプロセッサ１８２、通信モジュール１８０−１、および／または通信モジュール１９９、およびコンピュータプログラムコード１９３］と、少なくとも前記決定された値に基づいて、前記ユーザ機器への送信のための前記重複パケットをスケジューリングする手段と、を備える。
【００７４】
上述の段落に係る本発明の一例としての態様において、少なくとも前記受信する手段、決定する手段、およびスケジューリングする手段は、少なくとも１つのプロセッサ［図４におけるプロセッサ１８２、通信モジュール１８０−１、および／または通信モジュール１９９、およびコンピュータプログラムコード１９３］によって実行可能なコンピュータプログラム［図４のコンピュータプログラムコード１９３］によって符号化された非一時的コンピュータ可読媒体［図４におけるメモリ１９５］を含む。
【００７５】
さらに、本明細書に記載された本発明の例示的実施形態を実施するように構成され得るデバイスの説明のために、本発明の例示的実施形態を実施するために使用するに適した各種電子デバイスの簡略ブロック図を示す図４を参照する。図４は、本発明の例示的実施形態が実施され得る、一例としての非制限的な例示的システムのブロック図を示す。図４では、ユーザ機器（ＵＥ）１１０は、無線ネットワーク１００と無線通信を行っている。ＵＥはワイヤレスで、典型的には無線ネットワークにアクセス可能なモバイルデバイスである。ＵＥ１１０は、１つ以上のバス１２７を介して相互接続された、１つ以上のプロセッサ１２０と、１つ以上のメモリ１２５と、１つ以上の送受信機１３０とを備える。１つ以上の送受信機１３０のそれぞれは、受信機Ｒｘ１３２と、送信機Ｔｘ１３３とを備える。１つ以上のバス１２７は、アドレスバス、データバス、または制御バスであってもよく、マザーボードまたは集積回路上の一連のライン、光ファイバー、またはその他の光学通信機器等の任意の相互接続メカニズムを含んでもよい。１つ以上の送受信機１３０は、１つ以上のアンテナ１２８に接続される。１つ以上の送受信機１３０は多重接続構成を有し、無線ネットワーク１００または他の任意のネットワークを介して通信を行う。１つ以上のメモリ１２５は、コンピュータプログラムコード１２３を含む。ＵＥ１１０は、本明細書に記載された本発明の例示的実施形態を実施するように構成され得る通信モジュール１４０−１を備えてもよい。通信モジュール１４０−１は、本明細書に開示された例示的実施形態によるＰＤＣＰの検出（detection）および報告（reporting）（合わせてＤ／Ｒと呼ばれる）を行い、様々な形で実装され得る通信モジュール１４０−１および／または通信モジュール１４０−２の一方または両方を備えることができる。通信モジュール１４０−１は、１つ以上のプロセッサ１２０の一部として実装される等、ハードウェアに実装されてもよい。通信モジュール１４０−１はまた、集積回路として、またはプログラマブルゲートアレイ等の他のハードウェアによって、実装されてもよい。別の例では、通信モジュール１４０−１は、コンピュータプログラムコード１２３として実装され１つ以上のプロセッサ１２０によって実行される通信モジュール１４０−２として実装されてもよい。例えば、１つ以上のメモリ１２５およびコンピュータプログラムコード１２３は、１つ以上のプロセッサ１２０によって、ユーザ機器１１０に本明細書に記載された動作の１つ以上を遂行させるように構成されてもよい。ＵＥ１１０は、無線リンク１１１を介してｇＮＢ１７０およびｇＮＢ１８０と通信を行う。本発明の例示的実施形態によると、この無線リンク１１１に関連付けられたインタフェースは、本明細書に記載されたようなＸｎ通信および／またはＸ２通信用に使用可能である。
【００７６】
ｇＮＢ１７０（ＮＲ／５ＧノードＢまたはエボルブドＮＢであり得る）は、図４のｇＮＢ１８０やＵＥ１１０等のデバイスと通信を行うセカンダリノード基地局（例えば、ＮＲまたはＬＴＥ（ロングタームエボリューション）用）等の基地局であってもよい。ｇＮＢ１７０は、ＵＥ１１０等の無線デバイスを無線ネットワーク１００にアクセス可能にする。ｇＮＢ１７０は、１つ以上のバス１５７を介して相互接続された、１つ以上のプロセッサ１５２と、１つ以上のメモリ１５５と、１つ以上のネットワークインタフェース（Ｎ／Ｗ  Ｉ／Ｆ）１６１と、１つ以上の送受信機１６０とを備える。１つ以上の送受信機１６０はそれぞれ、受信機Ｒｘ１６２と送信機Ｔｘ１６３とを備える。１つ以上の送受信機１６０は、１つ以上のアンテナ１５８に接続される。１つ以上のメモリ１５５は、コンピュータプログラムコード１５３を備える。ｇＮＢ１７０は、本明細書に記載された本発明の例示的実施形態を実施するように構成された通信モジュール１５０−１を備える。通信モジュール１５０−１は、様々な形で実装され得る通信モジュール１５０−１および／または通信モジュール１５０−２の一方または他方を備えることができる。通信モジュール１５０−１は、１つ以上のプロセッサ１５２の一部として実装される等、ハードウェアに実装されてもよい。通信モジュール１５０−１はまた、集積回路として、またはプログラマブルゲートアレイ等の他のハードウェアによって、実装されてもよい。別の例では、重複Ｄ／Ｒモジュール１５０−１が、コンピュータプログラムコード１５３として実装され１つ以上のプロセッサ１５２によって実行されるＣｏｍｍ１５０−２として実装されてもよい。例えば、１つ以上のメモリ１５５およびコンピュータプログラムコード１５３は、１つ以上のプロセッサ１５２によって、ｇＮＢ１７０に本明細書に記載された動作の１つ以上を遂行させるように構成される。１つ以上のネットワークインタフェース１６１、１９１および１つ以上の送受信機１６０は、多重接続構成を有し、無線ネットワーク１００または他の任意のネットワークを介して通信を行う。このような通信は、リンク１７６、１１１を介してｇＮＢ１７０、ｇＮＢ１８０、ＵＥ１１０間で確立可能である。さらに、２つ以上のｇＮＢ１７０は、例えばリンク１７６を用いて、別のｇＮＢまたはｅＮＢと通信を行ってもよい。リンク１７６は、有線、無線、またはその両方のいずれであってもよく、例えばＸ２インタフェースを実装してもよい。リンク１７６はさらに、他のネットワークデバイスを介してもよい。このデバイスの例としては、図４のＮＣＥ／ＭＭＥ／ＳＧＷ１９０等のＮＣＥ／ＭＭＥ／ＳＧＷデバイスが挙げられるが、これらに限定されない。
【００７７】
ｇＮＢ１８０（ＮＲ／５ＧノードＢまたはエボルブドＮＢであり得る）は、ｇＮＢ１７０、および／またはＵＥ１１０、および／または無線ネットワーク１００等のデバイスと通信を行うマスターノード基地局（例えば、ＮＲまたはＬＴＥ（ロングタームエボリューション）用）等の基地局であってもよい。ｇＮＢ１８０は、１つ以上のバス１８７を介して相互接続された、１つ以上のプロセッサ１８２と、１つ以上のメモリ１９５と、１つ以上のネットワークインタフェース（Ｎ／Ｗ  Ｉ／Ｆ）１９１と、１つ以上の送受信機１９０とを備える。１つ以上の送受信機１９０はそれぞれ、受信機Ｒｘ１９２と送信機Ｔｘ１８３とを備える。１つ以上の送受信機１９０は、１つ以上のアンテナ１８５に接続される。１つ以上の送受信機１９０は、多重接続構成を有し、無線ネットワーク１００または他の任意のネットワークを介して通信を行う。１つ以上のメモリ１９５は、コンピュータプログラムコード１９３を含む。ｇＮＢ１８０は、本明細書に記載された本発明の例示的実施形態を実施するように構成された通信モジュール１９９をさらに備える。通信モジュール１９９は、１つ以上のプロセッサ１８２の一部として実装される等、重複Ｄ／Ｒモジュール１８０−１としてのハードウェアに実装されてもよい。重複Ｄ／Ｒモジュール１８０−１は、集積回路として、またはプログラマブルゲートアレイ等の他のハードウェアによって、実装されてもよい。別の例では、通信モジュール１８０−１は、コンピュータプログラムコード１９３として実装され１つ以上のプロセッサ１８２によって実行される通信モジュール１９９として実装されてもよい。例えば、１つ以上のメモリ１５５およびコンピュータプログラムコード１５３は、１つ以上のプロセッサ１８２によって、ｇＮＢ１８０に本明細書に記載された動作の１つ以上を遂行させるように構成される。１つ以上のネットワークインタフェース１８１は、リンク１７６を介する等、ネットワークを介して通信を行う。２つ以上のｇＮＢ１７０またはｇＮＢ１８０は、例えばリンク１７６を用いて別のｇＮＢおよび／またはｅＮＢまたは任意の別のデバイスと通信を行ってもよい。リンク１７６は、有線、無線、またはその両方のいずれであってもよく、例えばＸ２インタフェースを実装してもよい。上述のように、リンク１７６はさらに、他のネットワークデバイスを介してもよい。このデバイスの例としては、図４のＮＣＥ／ＭＭＥ／ＳＧＷ１９０等のＮＣＥ／ＭＭＥ／ＳＧＷデバイスが挙げられるが、これらに限定されない。
【００７８】
１つ以上のバス１５７および１８７は、アドレスバス、データバス、または制御バスであってもよく、マザーボードまたは集積回路上の一連のライン、光ファイバー、またはその他の光学通信機器、無線チャネル等の任意の相互接続メカニズムを含んでもよい。例えば、１つ以上の送受信機１６０および／または１９０をリモートラジオヘッド（ＲＲＨ）２０３および／または２０５として実現し、ｇＮＢ１７０の他の要素はＲＲＨと物理的に異なる場所に存在してもよく、１つ以上のバス１５７の一部は、ｇＮＢ１７０の他の要素をＲＲＨに接続する光ファイバーケーブルとして実現してもよい。さらに、本発明の例示的実施形態によると、ＲＲＨ２０３および／または２０５は、本明細書に記載されたような通信等のためのＸｎおよび／またはＸ２通信に使用可能である。
【００７９】
また、本明細書における説明では、「セル」が機能を実施することを示しているが、セルを形成するｇＮＢが機能を実施することを明確に理解されたい。また、セルはｇＮＢの一部を構成する。すなわち、ｇＮＢごとに複数のセルが存在し得る。
【００８０】
無線ネットワーク１００は、モビリティ管理エンティティ（Mobility Management Entity：ＭＭＥ）／サービングゲートウェイ（Serving Gateway：ＳＧＷ）機能を含んでもよいネットワーク制御要素（Network Control Element：ＮＣＥ）１９０を備えてもよく、これにより電話回線および／またはデータ通信ネットワーク（例えば、インターネット）等の別のネットワークとの接続を実現するものである。ｇＮＢ１７０は、リンク１３１を介してＮＣＥ１９０に接続される。ｇＮＢ１８０は、リンク２００を介してＮＣＥ１９０に接続される。さらに、ｇＮＢ１８０は、リンク１７６を介してｇＮＢ１７０に接続される。リンク１３１、１７６、および／または２００は例えば、Ｓ１インタフェースについて、Ｘｎおよび／またはＸ２通信として実現されてもよい。
【００８１】
ＮＣＥ１９０は、１つ以上のプロセッサ１７５、１つ以上のメモリ１７１、および１つ以上のネットワークインタフェース（Ｎ／Ｗ  Ｉ／Ｆ）１９７を備え、これらはリンク１８５に接続された１つ以上のバスを介して相互接続される。１つ以上のメモリ１７１はコンピュータプログラムコード１７３を含む。１つ以上のメモリ１７１およびコンピュータプログラムコード１７３は、１つ以上のプロセッサ１７５によって、ＮＣＥ１９０に本発明の例示的実施形態に従った動作に対応するために必要な１つ以上の動作を遂行させるように構成される。
【００８２】
無線ネットワーク１００は、ネットワーク仮想化を実現してもよい。これは、ハードウェアおよびソフトウェアネットワークリソースとネットワーク機能性を、単一のソフトウェアベース管理エンティティである仮想ネットワークに統合するプロセスである。ネットワーク仮想化は、多くの場合リソース仮想化と組み合わされるプラットフォーム仮想化を伴う。ネットワーク仮想化は、外部的（多くのネットワーク、またはネットワークの一部を仮想ユニットに統合）、または内部的（単一のシステム上のソフトウェアコンテナにネットワークのような機能を提供する）なものに分類される。ネットワーク仮想化で得られた仮想化されたエンティティは、ある程度、プロセッサ１５２、１８２、または１７５およびメモリ１５５、１９５、および１７１等のハードウェアを使用して実現されることに留意されたい。また、そのような仮想化されたエンティティも技術的な効果を生み出す。
【００８３】
コンピュータ可読メモリ１２５、１５５、１７１、および１９５は、現場の技術環境に適した任意の種類であり、半導体ベースのメモリデバイス、フラッシュメモリ、磁気メモリデバイスおよびシステム、光学メモリデバイスおよびシステム、固定メモリと取外し可能なメモリ等の任意の適切なデータストレージ技術を使用して実現してもよい。コンピュータ可読メモリ１２５、１５５、１７１、および１９５は、記憶機能を実現する手段であってもよい。プロセッサ１２０、１５２、１７５、および１８２は、現場の技術環境に適した任意の種類であり、１つ以上の汎用コンピュータ、専用コンピュータ、マイクロプロセッサ、デジタル信号プロセッサ（Digital Signal Processor：ＤＳＰ）、およびマルチコアプロセッサアーキテクチャに基づくプロセッサを含んでもよいが、これらに限定されるものではない。プロセッサ１２０、１５２、１７５、および１８２は、ＵＥ１１０、ｇＮＢ１７０、ｇＮＢ１８０、および本明細書で説明される他の機能を制御する等の機能を実施するための手段であってもよい。
【００８４】
概して、ユーザ機器１１０の各種実施形態は、無線通信機能を備えたスマートフォン、タブレット、携帯情報端末（ＰＤＡ）等の携帯電話、無線通信機能を備えたポータブルコンピュータ、無線通信機能を備えたデジタルカメラ等の撮像装置、無線通信機能を備えたゲーミングデバイス、無線通信機能を備えた音楽記憶および再生機器、ワイヤレスインターネットアクセスとブラウジングを可能とするインターネット機器、無線通信機能を備えたタブレットや、これら機能の組み合わせを組み込んだポータブルユニットまたは端末を含み得るが、これらに限定されない。
【００８５】
概して、様々な実施形態が、ハードウェアまたは特定用途向け回路、ソフトウェア、ロジック、またはそれらのいずれかの組合せで実装されてもよい。例えば、一部の態様がハードウェアで、他の態様がコントローラ、マイクロプロセッサ等のコンピュータデバイスによって実施され得るファームウェアまたはソフトウェアで実装されてもよいが、本発明はこれらに限定されるものではない。本発明の各種態様は、ブロック図、フローチャート、または他の図的表現を用いて図示、記述されてもよい。本明細書に記載のこれらのブロック、装置、システム、技術、または方法は、非限定的な例として、ハードウェア、ソフトウェア、ファームウェア、特定用途向け回路やロジック、汎用ハードウェアやコントローラ、その他のコンピュータデバイス、またはこれらのいずれかの組合せで実装されてもよいと理解されるべきである。
【００８６】
本発明の実施形態は、集積回路モジュール等の各種構成要素で実施されてもよい。集積回路の設計の多くは高度に自動化されたプロセスである。論理レベルの設計を、半導体基板上にエッチング、形成するための半導体回路設計に変換する複雑で強力なソフトウェアツールが利用可能である。
【００８７】
本明細書に使用される「例示的」という用語は、「一例となる、実例、例示」を意味してもよい。本明細書に「例示的」であると記載されたいずれの実施形態も、その他の実施形態に対して好適である、または有利であると認められるものでは必ずしもない。「詳細な説明」に記載された全ての実施形態は、当業者が本発明を製造、使用できるように提供された例示的実施形態であり、請求項に定義された本発明の範囲を限定するものではない。
【００８８】
前述の説明は、例示的で非限定的な例によって、本発明を実施するために発明者らによって目下のところ検討された最良の方法および装置を十分かつ詳細に記述している。しかし、こうした前述の説明を、添付する図面および特許請求の範囲と併せて読むと、種々の変更および適応が可能であることは、当該技術分野の当業者には明らかであろう。本発明が教示するこうした事項の全ておよび同様の変形は、本発明の範囲内にある。
【００８９】
なお、「接続された」、「結合された」、またはそれらのいかなる変形も、２つ以上の要素の直接的または間接的な任意の接続または結合を表し、「接続された」または「結合された」２つの要素間に１つ以上の中間要素が存在する場合を含んでもよいことに留意されたい。これらの要素間の結合または接続は、物理的、論理的、またはそれらの組合せであることができる。本明細書において採用したように、２つの要素は、非限定的かつ非網羅的ないくつかの例として、１つ以上のワイヤ、ケーブル、および／またはプリント電気接続部を用いて、または、無線周波数領域、マイクロ波領域、および光学（可視および不可視の両方）領域の波長を有するもの等の電磁エネルギーを用いて「接続された」または「結合された」とみなしてもよい。
【００９０】
また、本発明の好ましい実施形態の特徴の一部は、他の特徴を用いることなく有利に用いることができるであろう。したがって、前述の記述は単に本発明の原理を説明するのみであり、それを限定するものではないとみなすべきである。
【図１】
2021516910.tif 000003
【図２】
2021516910.tif 000004
【図３】
2021516910.tif 000005
【図４】
2021516910.tif 000006
【国際調査報告】
2021516910.tif 000007
2021516910.tif 000008
2021516910.tif 000009